(57)【要約】【課題】リモコン中継ユニットにおける無線電波の受信状態を正確に把握可能にするとともに、浴室内にいながらにして確認ができる浴室テレビシステムを提供する。【解決手段】浴室内のモニタ装置１にＡＶ信号を供給する本体装置２を有する浴室テレビシステムにおいて、本体装置２に接続した映像出力装置３を無線内蔵リモコン５で遠隔操作できるようにするリモコン接続ユニット４を設け、このユニット４の無線受信部４１に無線電波の受信感度を測定する受信感度測定手段を備えさせる。そして、制御部４２が、測定された受信感度に対応する所定の操作信号を映像出力装置３に対して出力することによりモニタ装置１に受信感度に応じた映像等が表示され、受信感度の確認が可能になる。【選択図】  図１
2009033595.tif 000002
【特許請求の範囲】
【請求項１】
浴室内のモニタ装置と、このモニタ装置に映像信号及び音声信号を供給する本体装置とを有する浴室テレビシステムにおいて、前記本体装置の外部入力部に映像信号及び音声信号を供給する映像出力装置を浴室内のリモコンから遠隔操作できるようにするためのリモコン中継ユニットであって、
無線電波で送信される遠隔操作信号を受信して制御手段で読み取り可能な電気信号に変換する無線受信手段と、前記無線受信手段から与えられる電気信号に基づいて前記映像出力装置で読み取り可能な操作信号を生成する制御手段と、前記制御手段で生成された操作信号を前記映像出力装置に対して出力する操作信号出力手段と、前記無線受信手段における無線電波の受信感度を測定して前記制御手段に提供する受信感度測定手段とを備えてなり、
前記制御手段は、所定条件を満たしたときに、前記受信感度測定手段で測定された受信感度を確認する感度確認モードに移行することを特徴とするリモコン中継ユニット。
【請求項２】
前記制御手段は、前記感度確認モードにあるときは、予め設定された規則に基づいて、前記受信感度測定手段で測定された受信感度に対応する所定の操作信号を前記映像出力装置に対して出力することにより、前記モニタ装置を通じて受信感度を報知する制御構成を有することを特徴とする請求項１に記載のリモコン中継ユニット。
【請求項３】
前記制御手段は、前記感度確認モード時に前記受信感度に対応して出力する操作信号が、前記映像出力装置の態様に応じて設定されていることを特徴とする請求項２に記載のリモコン中継ユニット。
【請求項４】
前記操作信号出力手段として、前記映像出力装置の赤外線受光部と対面して設けられる赤外線送信部を備えていることを特徴とする請求項１から３のいずれかに記載のリモコン中継ユニット。
【請求項５】
浴室内のモニタ装置と、このモニタ装置に映像信号及び音声信号を供給する本体装置とを有する浴室テレビシステムにおいて、
前記本体装置の外部入力部に映像信号及び音声信号を供給する映像出力装置が接続され、この映像出力装置が請求項１から４のいずれかに記載のリモコン中継ユニットを介して浴室内のリモコンから遠隔操作可能に構成されていることを特徴とする浴室テレビシステム。
【発明の詳細な説明】
【技術分野】
【０００１】
この発明はリモコン中継ユニットおよび浴室テレビシステムに関し、より詳細には、モニタ装置が浴室内に設けられるとともに、該モニタ装置に対して映像信号及び音声信号を供給する本体装置が浴室外に設けられている浴室テレビシステムにおいて、本体装置の外部入力部に接続される映像出力装置を浴室内から遠隔操作するための技術に関する。
【背景技術】
【０００２】
近時、浴室の壁面などにテレビ放送の映像を表示するモニタ装置を配設した浴室テレビシステムが提供されている（たとえば、特許文献１参照）。
【０００３】
図２は、この種の浴室テレビシステムの概略構成の一例を示す説明図である。図示のように、この種の浴室テレビシステムは、モニタ装置ａが浴室の壁面等に設置されるとともに、テレビ放送受信用のチューナを備えた本体装置ｂが浴室の外部（たとえば、浴室の天井裏など）に設置され、これらが多芯のケーブルｃを介して接続される。
【０００４】
そして、上記モニタ装置ａには赤外線ワイヤレスリモコンｄからの赤外線信号を受信するための受光部（図示せず）が設けられ、赤外線ワイヤレスリモコンｄの操作に応じて該リモコンｄから送信される赤外線信号をこの受光部で受信することにより、モニタ装置ａおよび本体装置ｂの遠隔操作ができるように構成されている。
【０００５】
【特許文献１】特開平１１−１５９８６１号公報
【発明の開示】
【発明が解決しようとする課題】
【０００６】
しかしながら、このような従来の浴室テレビシステムにおいては以下のような問題があり、その改善が望まれていた。
【０００７】
すなわち、従来の浴室テレビシステムにおいては、本体装置ｂに内蔵されるテレビ放送受信用のチューナの多くがアナログ方式のテレビジョン放送を受信するためのアナログチューナであることから、デジタル方式のテレビジョン放送（地上デジタル放送）を受信することができない。そのため、既存の浴室テレビシステム利用者から地上デジタル放送も受信ができるようにして欲しいとの要望があった。
【０００８】
ところで、このような要望に応じるため、出願人は、既設の本体装置ｂに設けられている外部入力部（映像信号及び音声信号を入力するための端子）に地上デジタル放送の受信が可能なデジタルチューナ（映像出力装置）を接続することを考えたが、かかる構成ではデジタルチューナを浴室内から遠隔操作（たとえば、受信チャンネルの変更や電源スイッチの入／切操作など）することができない。そのため、出願人は、このように本体装置ｂの外部入力部に接続される映像出力装置に対する遠隔操作信号として無線電波を使用し、かかる無線電波を受信して映像出力装置に与えるリモコンの中継ユニットを開発した。
【０００９】
しかしながら、このようなリモコンの中継ユニットを用いて映像出力装置を遠隔操作する構成では、該中継ユニットにおける無線電波の受信状態が悪いと映像出力装置を遠隔操作できなくなる。そのため、施工時に無線電波の受信状態を確認することが行なわれているが、この確認作業は、施工後にリモコンによる遠隔操作ができたか否かで判断しているため、受信状態が完全でない場合でもとりあえずリモコンによる遠隔操作ができればそれで施工作業を終了するので、施工後に受信不良を生じる場合があった。
【００１０】
本発明は、このような問題点に鑑みてなされたものであって、その目的とするところは、リモコン中継ユニットにおける無線電波の受信状態を正確に把握可能にするとともに、浴室内にいながらにして確認ができる浴室テレビシステムを提供することにある。
【課題を解決するための手段】
【００１１】
上記目的を達成するため、請求項１に記載のリモコン中継ユニットは、浴室内のモニタ装置と、このモニタ装置に映像信号及び音声信号を供給する本体装置とを有する浴室テレビシステムにおいて、上記本体装置の外部入力部に映像信号及び音声信号を供給する映像出力装置を浴室内のリモコンから遠隔操作できるようにするためのリモコン中継ユニットであって、無線電波で送信される遠隔操作信号を受信して制御手段で読み取り可能な電気信号に変換する無線受信手段と、上記無線受信手段から与えられる電気信号に基づいて上記映像出力装置で読み取り可能な操作信号を生成する制御手段と、上記制御手段で生成された操作信号を上記映像出力装置に対して出力する操作信号出力手段と、上記無線受信手段における無線電波の受信感度を測定して上記制御手段に提供する受信感度測定手段とを備えてなり、上記制御手段は、所定条件を満たしたときに、上記受信感度測定手段で測定された受信感度を確認する感度確認モードに移行することを特徴とする。
【００１２】
すなわち、本発明のリモコン中継ユニットは、無線受信手段における無線電波の受信感度を測定する受信感度測定手段を備えているので、受信感度を正確に測定することができる。しかも、上記制御手段は、所定条件を満たしたときに感度確認モードに移行するので、施工時など受信感度の確認が必要なときだけ制御手段の動作モードを感度確認モードとすることで受信感度の確認ができる。
【００１３】
また、請求項２に記載のリモコン中継ユニットは、請求項１に記載のリモコン中継ユニットにおいて、上記制御手段は、上記感度確認モードにあるときは、予め設定された規則に基づいて、上記受信感度測定手段で測定された受信感度に対応する所定の操作信号を上記映像出力装置に対して出力することにより、上記モニタ装置を通じて受信感度を報知する制御構成を有することを特徴とする。
【００１４】
すなわち、請求項２に記載のリモコン中継ユニットによれば、受信感度測定手段で測定された受信感度に対応する所定の操作信号が上記映像出力装置に対して出力されるので、予め設定される規則として、たとえば、測定された受信感度が高ければ映像出力装置に対して操作信号Ａを出力し、受信感度が低ければ操作信号Ｂを出力するように設定しておけば、モニタ装置に表示される内容が操作信号Ａ，Ｂいずれの操作信号に対応するものかを確認することで、浴室にいながらにしてリモコン中継ユニットの受信感度を確認できる。
【００１５】
また、請求項３に記載のリモコン中継ユニットは、請求項２に記載のリモコン中継ユニットにおいて、上記制御手段は、上記感度確認モード時に上記受信感度に対応して出力する操作信号が、上記映像出力装置の態様に応じて設定されていることを特徴とする。
【００１６】
すなわち、請求項３に記載のリモコン中継ユニットによれば、上記感度確認モード時に上記受信感度に対応して映像出力装置に出力される操作信号が、本体装置に接続される映像出力装置の態様に応じて設定されている。たとえば、映像出力装置が地上デジタル放送を受信するためのデジタルチューナである場合には、受信感度の高低を地上デジタル放送のチャンネルの切り替えによって表示し、映像出力装置がＤＶＤプレイヤである場合には受信感度の高低に応じて再生する画像のスキップ回数を変えるなど、映像出力装置の態様に応じて操作信号が変更される。そのため、本体装置に接続される映像出力装置の態様を問わずに受信感度の報知に対応できる。
【００１７】
また、請求項４に記載のリモコン中継ユニットは、請求項１から３のいずれかに記載のリモコン中継ユニットにおいて、上記操作信号出力手段として、上記映像出力装置の赤外線受光部と対面して設けられる赤外線送信部を備えていることを特徴とする。
【００１８】
すなわち、請求項４に記載のリモコン中継ユニットによれば、上記操作信号出力手段が上記映像出力装置の赤外線受光部と対面して設けられる赤外線送信部で構成されているので、たとえば、市販のデジタルチューナやＤＶＤプレイヤなどのように遠隔操作用の赤外線受光部を備えたものを本発明の映像出力装置として用いることができる。
【００１９】
また、請求項５に記載の浴室テレビシステムは、浴室内のモニタ装置と、このモニタ装置に映像信号及び音声信号を供給する本体装置とを有する浴室テレビシステムにおいて、上記本体装置の外部入力部に映像信号及び音声信号を供給する映像出力装置が接続され、この映像出力装置が請求項１から４のいずれかに記載のリモコン中継ユニットを介して浴室内のリモコンから遠隔操作可能に構成されていることを特徴とする。
【００２０】
すなわち、請求項５に記載の浴室テレビシステムによれば、映像出力装置として地上デジタル放送を受信するためのデジタルチューナを用いることで、既存のアナログのテレビジョン放送しか受信できなかった浴室テレビシステムにおいて地上デジタル放送も受信できるようになり、しかも、デジタルチューナを浴室にいながらにして遠隔操作ができるようになる。その上、施工時等においてリモコン中継ユニットの受信感度を容易に確認できる。
【発明の効果】
【００２１】
本発明によれば、アナログのテレビジョン放送しか受信できなかった既設の浴室テレビシステムにおいて地上デジタル放送も受信できるようになるとともに、浴室にいながらにして地上デジタル放送のチャンネル変更などの遠隔操作が可能になる。
【００２２】
しかも、リモコン中継ユニットにおける無線電波の受信感度を容易に確認できるので、リモコン中継ユニットを受信感度の高い位置を選んで設置でき、施工後に受信不良を生じることが防止できる。
【発明を実施するための最良の形態】
【００２３】
以下、本発明の一実施形態を図面に基づいて詳細に説明する。
図１は、本発明に係る浴室テレビシステムの概略構成の一例を示す説明図である。図に示すように、本発明に係る浴室テレビシステムは、既設の浴室テレビシステムに地上デジタル放送を受信するためのデジタルチューナなどを接続してなるシステムであって、浴室の壁面等に設置されるモニタ装置１と、このモニタ装置１に映像信号及び音声信号（以下、「ＡＶ信号」と称する）を供給する本体装置２と、本体装置２の外部入力部（図示せず）にＡＶ信号を供給する映像出力装置３と、この映像出力装置３を遠隔操作するためのリモコン中継ユニット４と、該リモコン中継ユニット４に遠隔操作信号を与える無線内蔵リモコン５とを主要部として構成される。
【００２４】
上記モニタ装置１および本体装置２は、既設の浴室テレビシステムを構成するものである。モニタ装置１は、本体装置２から提供されるＡＶ信号を再生する装置であって、多芯のケーブル６を介して本体装置２と接続され、該ケーブル６を介して本体装置２から電力の供給とＡＶ信号の供給とを受けるように構成されている。そして、このモニタ装置１には、図示しないが、音声出力用のスピーカと、映像表示用の表示部（たとえば、液晶表示部）と、リモコンから送信される遠隔操作用の赤外線信号を受光するための赤外線受光部とが備えられ、上記スピーカと表示部とによってＡＶ信号が視聴可能に再生されるとともに、赤外線受光部で受信した赤外線信号によってモニタ装置１と本体装置２の遠隔操作が可能に構成されている。なお、これらの構成については周知であるので詳細な説明は省略する。
【００２５】
本体装置２は、浴室の外部（図示例では浴室の天井裏）に設置され、上記モニタ装置１に電力とＡＶ信号とを供給する装置であって、図示しないが、アナログのテレビジョン放送を受信するためのアナログチューナと、商用電源から直流電力を生成して各部に供給する電源部と、映像出力装置３から供給されるＡＶ信号を入力するためのＡＶ信号入力端子と、上記モニタ装置１に与えるＡＶ信号として、アナログチューナの出力を用いるかＡＶ信号入力端子に入力されたＡＶ信号を用いるかを切り替えるセレクタと、上記モニタ装置１で受光した赤外線信号に基づいて各部を制御する制御部とを主要部として備えている。なお、これらのうちＡＶ信号入力端子とセレクタとで外部入力部が構成される。
【００２６】
映像出力装置３は、ＡＶ信号の出力機能を備えた装置であって、本実施形態では地上デジタル放送の受信が可能なデジタルチューナが用いられる。ここで、本実施形態において使用するデジタルチューナとしては、一般に市販されているデジタルチューナであって、赤外線信号による遠隔操作が可能なものが使用される。つまり、市販のデジタルチューナの場合、当該デジタルチューナ用の赤外線リモコンが用意されているのが一般的であるが、そのような赤外線リモコンで操作可能なデジタルチューナが用いられる。なお、図において符号３１は、このような赤外線による遠隔操作用の赤外線受光部である。そして、このデジタルチューナのＡＶ信号出力端子と上記本体装置２のＡＶ信号入力端子とがＡＶ信号ケーブル７を介して接続される。
【００２７】
リモコン中継ユニット４は、無線内蔵リモコン５から送信される無線電波による遠隔操作信号を受信して映像出力装置３に与える中継ユニットであって、無線電波で送信される遠隔操作信号を受信して制御手段で読み取り可能な電気信号に変換する無線受信手段と、上記無線受信手段から与えられる電気信号に基づいて上記映像出力装置で読み取り可能な操作信号を生成する制御手段と、上記制御手段で生成された操作信号を上記映像出力装置に対して出力する操作信号出力手段と、上記無線受信手段における無線電波の受信感度を測定して上記制御手段に提供する受信感度測定手段とを主要部として備えている。
【００２８】
具体的には、図１に示すように、無線受信部４１と、制御部４２と、赤外線送信部４３と、操作パネル部４４と、電源部４５とを主要部として構成される。
【００２９】
無線受信部４１は、後述する無線内蔵リモコン５から送信される無線電波を受信するための受信回路（無線受信手段）と、この受信回路で受信される無線電波の受信感度を測定する感度測定回路（受信感度測定手段）とを備えて構成される。そして、後述する無線内蔵リモコン５から送信される遠隔操作信号（無線電波）は、この受信回路において制御部４２で読み取り可能な電気信号に変換され、電気信号として制御部４２に供給される。また、感度測定回路は、上記受信回路で受信される無線内蔵リモコン５からの無線電波の受信感度を常時または適時に測定し、後述するように、制御部４２が感度確認モードに移行したときに、測定した受信感度の情報を制御部４２に対して出力するように構成される。
【００３０】
なお、上記受信回路は、無線内蔵リモコン５との間での通信用の周波数として、周波数の異なる複数チャンネル（たとえば４チャンネル）の受信が可能に構成され、受信感度の良否や電波干渉の有無などに応じて適宜チャンネルを切り替えて上記無線内蔵リモコン５と通信ができるように構成されている。なお、図において符号４６は無線電波受信用のアンテナである。
【００３１】
制御部４２は、リモコン中継ユニット４の各部を制御する制御装置であって、この制御部４２としてはマイコンが好適に使用される。そして、この制御部４２は、通常の動作モードのとき（後述する感度確認モード以外のとき）には、上記無線受信部４１から電気信号として供給される遠隔操作信号を映像出力装置３において読み取り可能な操作信号（電気信号）に変換して上記赤外線送信部４３に出力する。なお、この操作信号への変換にあたっては、変換に必要なデータテーブルが制御部４２に設けられ、このデータテーブルに照らして操作信号への変換が行なわれる。
【００３２】
すなわち、映像出力装置３に対する操作信号の内容は、映像出力装置３の態様（具体的には、映像出力装置３が上記デジタルチューナであるかＤＶＤプレイヤであるかなどの種別や、当該映像出力装置３の製造メーカなど）に応じて相違するので、制御部４２には、これら映像出力装置３の態様に応じて無線内蔵リモコン５からの遠隔操作信号を映像出力装置３に対する操作信号に変換するためのデータテーブルが備えられている。なお、映像出力装置３の態様については操作パネル部４４において手動で設定される。
【００３３】
また、制御部４２は、動作モードが感度確認モードにあるときには、上記感度測定回路から与えられる受信感度の情報に基づいて、受信感度に対応する所定の操作信号を上記赤外線送信部４３に出力する（受信感度報知機能）。なお、受信感度報知機能については後述する。
【００３４】
赤外線送信部４３は、上記制御部４２から与えられる操作信号（電気信号）を赤外線信号に変換して外部に出力するものであって、図示のように、赤外線信号を生成する発光ダイオード４７を備えて構成される。なお、この赤外線送信部４３の発光ダイオード４７は、映像出力装置３において遠隔操作用の赤外線信号を受光する赤外線信号受光部に対面するように配置される。
【００３５】
操作パネル部４４は、上記制御部４２に対する各種設定（たとえば、上述した映像出力装置３の態様の設定や、受信回路のチャンネル設定等）を行なうための操作スイッチを備えた操作盤で構成される。なお、この操作パネル部４４には、上記各種設定の確認等のために発光ダイオードなどによる表示部が設けられていてもよい。
【００３６】
電源部４５は、リモコン中継ユニット４の各部に電力を供給するための電源装置であって、本実施形態では、本体装置２の電源部から直流電力の供給を受けるように構成されるが、たとえば、本体装置２と同様に商用電源から交流電力の供給を受けて直流電力を生成するように構成されてもよい。
【００３７】
無線内蔵リモコン５は、既設の浴室テレビシステム（具体的には、モニタ装置１と本体装置２）に対する遠隔操作と、映像出力装置３（具体的には、リモコン中継ユニット４の受信回路）に対する遠隔操作の双方を行なうためのリモコンであって、赤外線による遠隔操作信号の送信手段と無線電波による遠隔操作信号の送信手段を備えて構成される。
【００３８】
すなわち、無線内蔵リモコン５の操作スイッチ５１により既設の浴室テレビシステムに対する遠隔操作が行なわれると、上記赤外線による遠隔操作信号の送信手段から当該操作に対応する赤外線信号が送信され、操作スイッチ５１により映像出力装置３に対する遠隔操作が行なわれると、上記無線電波による遠隔操作信号の送信手段から無線電波が送信される。なお、遠隔操作信号を赤外線信号や無線電波で送信する構成は周知であるので詳細な説明は省略する。
【００３９】
しかして、このように構成された浴室テレビシステムでは、無線内蔵リモコン５により映像出力装置３に対する遠隔操作がなされると、その操作に対応する遠隔操作信号が無線電波で送信され、リモコン中継ユニット４の無線受信部４１で受信される。そして、制御部４２において当該遠隔操作信号に対応する操作信号が生成され、赤外線送信部４３を通じて映像出力装置３に供給される。これにより天井裏等に配置された映像出力装置３を浴室にいながらにして遠隔操作することができる。なお、その際、映像出力装置３から出力される映像等をモニタ装置１に表示等させる場合には、本体装置２のセレクタをアナログチューナ側から外部入力側に切り替える操作（たとえば、無線内蔵リモコン５の操作）を行なえばよい。
【００４０】
次に、リモコン中継ユニット４の受信感度報知機能について説明する。本実施形態の浴室テレビシステムでは、上述したように、リモコン中継ユニット４が、無線内蔵リモコン５から送信される遠隔操作信号（無線電波）の受信感度を報知する機能を有している。
【００４１】
具体的には、まず、リモコン中継ユニット４の制御部４２を通常の動作モードから感度確認モードに移行させる。このモードの切り替えは、無線内蔵リモコン５の所定操作（たとえば、特定の２つの操作スイッチを同時に押下げるなど通常のリモコン操作では行なわない操作）をすることにより行なわれる。
【００４２】
なお、本実施形態では、無線内蔵リモコン５において上記の所定操作が行なわれると、これに伴って無線内蔵リモコン５の赤外線による遠隔操作信号の送信手段からモニタ装置１に対してモニタ装置１の電源スイッチをオンにし、かつ、本体装置２のセレクタを外部入力側に切り替える旨を指示する遠隔操作信号が送信され、モニタ装置１には映像出力装置３から出力されるＡＶ信号に基づく映像等が表示等される状態とされる。
【００４３】
このようにして、リモコン中継ユニット４の制御部４２の動作モードが感度確認モードに切り替えられると、次に、この状態で、無線内臓リモコン５において受信感度確認用の所定のスイッチ操作がなされると、この操作に対応する操作信号が無線受信部４１に送信され、無線受信部４１の感度測定回路が受信感度を測定する。これにより、制御部４２は無線受信部４１の感度測定回路から与えられる受信感度の情報に基づいて、受信感度の程度（高低）に対応する所定の操作信号を生成して、上記赤外線送信部４３を通じて映像出力装置３に対して出力する。
【００４４】
ここで、受信感度に対応して制御部４２で生成される操作信号は、予め設定された規則に基づいて生成される。この規則は、受信感度の程度を映像出力装置３の動作によって報知するために設定された規則であって、具体的には映像出力装置３から出力されるＡＶ信号を通じて（モニタ装置１に表示等される映像等を利用して）受信感度を報知するように構成される。
【００４５】
たとえば、映像出力装置３が地上デジタル放送を受信するためのデジタルチューナである場合、制御部４２は、上記規則に基づいて、受信感度が高ければ地上デジタル放送のチャンネルを数チャンネル（たとえば３チャンネル）分だけアップし、受信感度が低ければこれとは異なる数のチャンネル（たとえば１チャンネル）分だけアップするなどして、モニタ装置１を通じて受信感度の程度を報知する。また、映像出力装置３がＤＶＤプレイヤである場合は映像のスキップの回数を異ならしめるなどして受信感度の高低をモニタ装置１を通じて報知する。
【００４６】
つまり、モニタ装置１に表示等される映像等が受信感度に応じて変化するように制御部４２が映像出力装置３に対する操作信号を出力することで、モニタ装置１を通じて受信感度の確認ができるように構成されている。なお、このモニタ装置１を通じた受信感度の報知は、映像出力装置３の動作を利用して行なわれればよいので、上述したチャンネルのアップ回数の変更や映像のスキップ回数の変更だけに限られるものではなく、その報知の態様は適宜設計変更可能である。たとえば、モニタ装置１に表示するチャンネルの切り替わるスピードを変えて報知したり、チャンネルダウンの回数を変えて表示する等である。また、報知の態様も映像出力装置３の動作が利用されれば映像の変更に限らず、音声のオン／オフによることも可能である。
【００４７】
なお、上記制御部４２において生成される操作信号は、上述したように、映像出力装置３の態様に応じて使い分けが必要であるが、映像出力装置３の態様は上述したように操作パネル部４４において設定されるので、制御部４２はこの操作パネル部４４での設定に基づいて映像出力装置３の態様を判断し、設定されている映像出力装置３の態様に応じた操作信号を生成する。
【００４８】
本実施形態では、このようにしてモニタ装置１を通じて受信感度の報知が行なわれるので、リモコン中継ユニット４を施工する際に、施工者は浴室内にいながらにしてリモコン中継ユニット４における無線電波の受信感度を具体的に確認することができる。したがって、受信感度も最もよい位置を選んでリモコン中継ユニットを施工することができる。
【００４９】
そして、受信感度の確認が終われば、無線内蔵リモコン５の所定操作によりリモコン中継ユニット４の制御部４２を通常の動作モードに復帰させる。なお、この通常の動作モードへの復帰は、たとえば、感度確認モードに移行してから所定時間経過により自動的に復帰するように構成したり、感度確認用のスイッチ操作がなされてから所定時間経過によって自動復帰するように構成しておくことが可能であり、これにより復帰操作のし忘れを防止することができる。
【００５０】
さらに、本発明によれば、既設のモニタ装置１、既設の本体装置２および市販の映像出力装置３のいずれについても何らの特別な改変を加えることなく、リモコン中継ユニット４の受信感度を浴室にいながらにして確認できる。
【００５１】
なお、上述した実施形態はあくまでも本発明の好適な実施態様を示すものであって、本発明はこれらに限定されることなくその範囲内で種々の設計変更が可能である。  
【００５２】
たとえば、上述した実施形態では、本体装置２に接続する映像出力装置３としてデジタルチューナを用いた場合を示したが、ＡＶ信号を出力する装置であれば、たとえばＤＶＤプレイヤやビデオプレイヤ等の他の装置を用いることも可能である。
【００５３】
また、上述した実施形態では、映像出力装置３として遠隔操作用の赤外線信号受光部を備えたデジタルチューナを用いた場合を示したが、本システム用に専用の映像出力装置３を開発するのであれば、映像出力装置３の赤外線信号受光部を省略して、制御部４２から操作信号（電気信号）を直接映像出力装置３に与えるように構成することも可能である。
【００５４】
また、上述した実施形態では、リモコン中継ユニット４における制御部４２の動作モードの切り替え（感度確認モードへの切り替え）が無線内蔵リモコン５の所定操作により行なわれる場合を示したが、たとえば、リモコン中継ユニット４内の操作パネル部４４に設けた操作スイッチの操作によって動作モードが切り替えられるように構成しておくことも可能である。
【００５５】
また、上述した実施形態では、リモコン中継ユニット４における無線電波の受信感度を高低の２態様で報知する場合を示したが、高低の２態様に限らずより詳細に（たとえば、高・中・低の３態様など）受信感度を報知するように構成することも可能である。
【図面の簡単な説明】
【００５６】
【図１】本発明に係る接続ユニットの概略構成の一例を示す回路図である。
【図２】従来の浴室テレビシステムの概略構成の一例を示す説明図である。
【符号の説明】
【００５７】
１            モニタ装置
２            本体装置
３            映像出力装置
４            リモコン中継ユニット
５            無線内蔵リモコン
４１          無線受信部
４２          制御部
４３          赤外線送信部
４４          操作パネル部
４５          電源部
【図１】
2009033595.tif 000003
【図２】
2009033595.tif 000004